(57)【特許請求の範囲】
【請求項１】
ケース本体１０と蓋体１１とからなっていて、前面に出入口１２が開口しており、
ケース本体１０は、四角形状の底壁１４と、底壁１４の左右端から立設した側壁１５と、底壁１４の後端から立設した背壁１６とを有して、前面および上面が開口する薄形角箱形状に形成されており、
蓋体１１は、ケース本体１０の開口上面を開閉する上壁１８と、上壁１８の左右端寄りからケース本体１０の側壁１５の内側に向けて垂設された側壁１９とを有し、
蓋体１１の側壁１９の内側の後端寄り部位には、ディスクカートリッジ１の左右側壁の前端寄りに設けた位置決め用の凹部６に係脱する、弾性を有するロック体２６を組み付けてあり、
ケース本体１０の側壁１５の内側と蓋体１１の側壁１９の外側とには、一方に前後方向に長いガイド溝２２を、他方にガイド溝２２に前後摺動自在に係合するスライド軸２１をそれぞれ設けてあり、ケース本体１０と蓋体１１とが、スライド軸２１とガイド溝２２とを介して枢支連結されており、
ケース本体１０の背壁１６の左右端と側壁１５の後端との間に、蓋体１１の後方スライドに伴い蓋体１１の側壁１９をロック体２６と共に後方外部へ通過させるためのスリット２３が形成されており、
蓋体１１の後方スライドにより、蓋体１１がケース本体１０に対してスライド軸２１まわりに上開き回動可能であり、
蓋体１１の上壁１８の後端左右に、前記スリット２３を開閉する左右の部分背壁２５が垂設されており、
蓋体１１の部分背壁２５の内側に、これがスリット２３を閉じた状態においてケース本体１０の背壁１６の内面よりも出入口１２の方向へ延出するリブ３４が設けられており、
ディスクカートリッジ１を完全に収納したとき、これの前面１Ｆの左右端が前記リブ３４の延出端に受け止められるように設定したことを特徴とするディスクカートリッジ用の収納ケース。
【発明の詳細な説明】
【０００１】
【発明の属する技術分野】
本発明は、音や映像の信号あるいはコンピュータ情報等の記憶媒体である光ディスクあるいは光磁気ディスクなどをハードケース内に内蔵してあるディスクカートリッジにおいて、これを収納する収納ケースに関する。
【０００２】
【従来の技術】
たとえば、図７に示すように直径6.４cmの光磁気ディスク４０を薄い角箱状のハードケース４１に内蔵した、いわゆるミニディスク（以下、単にＭＤという）があり、かかるディスクカートリッジ４２を収納するための薄い角箱状の収納ケースが実用化されている。この収納ケースは、上ケース４３と下ケース４４とを一体的に圧嵌連結することで、ディスクカートリッジ４２の出入口４５を前面側に開口したブックケース形に形成されている。収納ケースの内奥端寄りには、弾性を有する左右一対のロック体４６を組み込んであり、ディスクカートリッジ４２の左右側壁の前端寄りに位置決め用の凹部４７を設け、この凹部４７を前記ロック体４６に係合させることで、ディスクカートリッジ４２が出入口４５から不用意に抜け出るのを防止している。かかる収納ケースによれば、ディスクカートリッジ４２を出入口４５から差し込み装填し、またディスクカートリッジ４２をロック体４６の弾性力に抗して出入口４５から抜き出すことで、ディスクカートリッジ４２の出し入れが行える。
【０００３】
【発明が解決しようとする課題】
しかしながら、従来の収納ケースは薄箱形状でコンパクトである反面、出入口４５の上下間隔が５〜６mm程度と小さいため、ディスクカートリッジ４２を出し入れし難い。ましてやディスクカートリッジ４２をインデックスカードと共に入れることが容易ではなかった。
【０００４】
前記ロック体４６は、ディスクカートリッジ４２の凹部４７に係合させる関係上、収納ケースの内奥端寄りに組み付けられるが、当該箇所は狭隘でスペース的な制約があって組み付け難い。そこで、収納ケースの背壁４８のみを厚肉にしたり、背壁４８の内面にリブを付けている。これによればディスクカートリッジ４２の前面壁４２ａを厚肉の背壁４８または背壁４８の内面リブに接当するまで収納すると、ディスクカートリッジ４２の全体を背壁４８の増厚分またはリブの突出分だけ、出入口４５の方へ偏倚させた状態に収納できる。この場合のロック体４６は、ディスクカートリッジ４２の前記偏倚量分に対応させて出入口４５側へ偏倚させて組み付ければよいことになるため、スペース的に余裕ができて組み付け易くはなる。しかし、収納ケースの背壁４８を他の部位に比べて厚肉にすると成形時にヒケが生じたり、成形サイクルの遅れを招く。また背壁４８にリブを付けると、これにインデックスカードが引っ掛かりやすくなるため、インデックスカードを小さくせざる得なくなり、これが必ずしも得策とは言えなかった。
【０００５】
本発明の目的は、ブックケース形の薄形角箱形状でありながら、ＭＤのような小さいディスクカートリッジでも容易に出し入れできる収納ケースを提供することにある。本発明の目的は、ディスクカートリッジと一緒にインデックスカードを収納する場合にも、両者を容易に収納できる収納ケースを提供することにある。本発明の目的は、ヒケ発生や成形サイクルの増大など成形上の問題を招来することなく、またインデックスカードが引っ掛かるという問題を招くことなくロック体の組み付けの容易化が図れる収納ケースを提供することにある。
【０００６】
【課題を解決するための手段】
本発明の収納ケースは、図１および図２に示すごとくケース本体１０と蓋体１１とからなっていて、前面に出入口１２が開口している。ケース本体１０は四角形状の底壁１４と、底壁１４の左右端から立設した側壁１５と、底壁１４の後端から立設した背壁１６とを有して、前面および上面を開口する薄形角箱形状に形成されている。蓋体１１はケース本体１０の開口上面を開閉する上壁１８と、上壁１８の左右端寄りからケース本体１１の側壁１５の内側に向けて垂設された側壁１９とを有する。この側壁１９の内側の後端寄り部位には、ディスクカートリッジ１の左右側壁の前端寄りに設けた位置決め用の凹部６に係脱する、弾性を有するロック体２６を組み付けてある。ケース本体１０の側壁１５の内側と蓋体１１の側壁１９の外側とには、一方に前後方向に長いガイド溝２２を、他方にガイド溝２２に前後摺動自在に係合するスライド軸２１をそれぞれ設けてあり、ケース本体１０と蓋体１１とは、これらスライド軸２１とガイド溝２２とを介して枢支連結する。ケース本体１０の背壁１６の左右端と側壁１５の後端との間には、蓋体１１の後方スライドに伴い該蓋体１１の側壁１９をロック体２６と共に後方外部へ通過させるためのスリット２３が形成されており、蓋体１１の後方スライドにより、蓋体１１がケース本体１０に対してスライド軸２１まわりに上開き回動可能に構成されている。
【０００７】
蓋体１１の上壁１８の後端左右には、前記スリット２３を開閉する部分背壁２５が垂設されている。そして蓋体１１の部分背壁２５の内側に、これがスリット２３を閉じた状態においてケース本体１０の背壁１６の内面よりも出入口１２の方向へ延出するリブ３４が設けられており、ディスクカートリッジ１を完全に収納したとき、これの前面１Ｆの左右端が前記リブ３４の延出端に受け止められるようにしたものである。
【０００８】
【作用】
蓋体１１はこれを後方にスライド操作することにより、スライド軸２１まわりに上開き回動できる。これでディスクカートリッジ１の出入口１２の間口が拡大し、ディスクカートリッジ１の出し入れが容易になる。またインデックスカード１３も一緒に出し入れし易くなる。
【０００９】
収納ケースにディスクカートリッジ１を完全に収納したとき、これの前面１Ｆの左右端がリブ３４の延出端に受け止められるので、背壁１６内面からのリブ３４の延出長さ分だけ、ロック体２６を出入口１２の方へ偏倚させて組み付ければよいことになる。これによって、スペース的に余裕ができてロック体２６が組み付け易くなる。かかるリブ３４は部分背壁２５に均等厚で一体成形できるので、その成形時にヒケ発生や成形サイクルの増大を招くことがない。また該リブ３４は背壁１６の左右両端に位置し、当該位置はインデックスカード１３のコーナに対応するため、このリブ３４がインデックスカード１３と引っ掛かるような問題も無くなる。
【００１０】
【発明の実施の形態】
図１において、１は収納対象のディスクカートリッジ、具体的にはＭＤである。ディスクカートリッジ１は、光磁気ディスク２を薄角箱状のハードケース３に内蔵しており、ハードケース３の上下両面の一側に開口した信号読み取り窓４がシャッター５でスライド開閉できる。ハードケース３の下ハーフの両側の前端寄り部位には、位置決め用の凹部６が半長円状に凹設されている。
【００１１】
ディスクカートリッジ１を収納するための収納ケースは、図２および図４に示すようにケース本体１０と蓋体１１とで薄形角箱状に構成してあり、その前面にディスクカートリッジ１の出入口１２が開口している。収納ケースの内部には、ディスクカートリッジ１と共にインデックスカード１３が収納される。
【００１２】
ケース本体１０は、四角形状の底壁１４と、底壁１４の左右端から立設した側壁１５・１５と、底壁１４の後端から立設した背壁１６とを有して、上面および前面が開口するプラスチック成形品からなり、その前面開口部が出入口１２になっている。蓋体１１は、ケース本体１０の上面開口１７の全体を上面側から開閉自在に閉じる上壁１８と、上壁１８の両側の下面側に垂設した側壁１９とを有する、透明ないし半透明のプラスチック成形品からなる。上壁１８および底壁１４のそれぞれの前端縁には、ディスクカートリッジ１の後端側の一部を露出させてこれをつかみ易くするための切欠２０が上下対称に設けられている。
【００１３】
インデックスカード１３はケース本体１０の底壁１４の内面に沿うように収納される。そのインデックスカード１３は、台紙の片面にタイトルや記録内容の詳細を書き込むためのラベル等を剥離可能に貼り付けてあり、台紙の他面に使用上の注意書き等を印刷してある。図示例では、ケース本体１０の底壁１４と背壁１６とに沿うＬ字形のインデックスカード１３を示した。インデックスカード１３の左右幅寸法は、ディスクカートリッジ１の左右幅寸法と同じかこれよりも少し幅狭に形成する。
【００１４】
ディスクカートリッジ１およびインデックスカード１３を容易に出し入れするために、ケース本体１０の上面開口１７を蓋体１１で開閉できるようにケース本体１０に対し、蓋体１１を次のように枢支連結する。図２に示すように、蓋体１１の左右の側壁１９の各後部の下端外面にスライド軸２１をそれぞれ外向きに一体に突設し、ケース本体１０の左右の側壁１５の後端下部にガイド溝２２を設け、このガイド溝２２にスライド軸２１を係合させる。ガイド溝２２は側壁１５の内面にリブ２２ａを環状に突設し、このリブ２２ａで前後方向に長く形成する。
【００１５】
蓋体１１は、図３（ａ）に示すように上壁１８の左右端縁がケース本体１０の左右の側壁１５の上端面で受け止められて、上面開口１７を完全に蓋する閉じ位置と、図３（ｂ）に示すように全体がガイド溝２２に沿って出入口１２から遠ざかる後方にスライド移動した上開き可能位置と、図３（ｃ）に示すように全体がスライド軸２１を中心にして上開き回動して上面開口１７を全開する開放位置とに変位できる。蓋体１１を後方にスライド操作したとき、その側壁１９がケース本体１０の背壁１６と接当干渉することがないように、背壁１６の左右端と側壁１５の後端との間にスリット２３を設けてある（図１および図２参照）。また蓋体１１が上開き回動するとき、側壁１９がケース本体１０の底壁１４と接当干渉するのを防ぐために、側壁１９にはスライド軸２１より後ろ側の隣接位置に逆Ｖ字形の切欠２４を設けてある。蓋体１１の上壁１８の後端左右には、閉じ位置において前記スリット２３に嵌合して該スリット２３を閉じるための部分背壁２５がそれぞれ垂設されている。
【００１６】
収納ケースにディスクカートリッジ１を収納した状態において、これが不用意に出入口１２から抜け出ないように、位置決め用の凹部６に係合するロック体２６が、蓋体１１の左右の側壁１９にそれぞれ組み付けられる。図２においてロック体２６は、前後一対の係合爪２７を突設した平板状の基部２９と、基部２９の下方に連続する凸形状の弾性突起３０とを一体に形成したプラスチック成形品からなる。このロック体２６を側壁１９の後部に外側から圧嵌固定するために、側壁１９のスライド軸２１より後部上方に、係合爪２７を抜け止め状に係合するための一対の係合孔３２を設けるとともに、この係合孔３２の下方に弾性突起３０を装填するための装填溝３３を切り欠き形成する。図６に示すようにロック体２６を側壁１９に圧嵌固定した装着状態において、弾性突起３０が側壁１９の内側方に突出し、ディスクカートリッジ１の凹部６に弾性突起３０が外側方から係脱自在に弾性係合する。
【００１７】
ロック体２６の組み付けに際し、ロック体２６はディスクカートリッジ１の両側の前端寄りにある凹部６に対応するように、側壁１９の後端寄りに位置設定する必要があるところ、側壁１９の後端の狭隘な部分では組み付け作業性が悪い。そこで、ロック体２６を組み付け易くするためには、側壁１９の後端より少しでも前方にロック体２６を位置設定することが、スペース的に有利である。
【００１８】
かかる観点から本発明では、図１および図２に示すごとく蓋体１１の左右の各部分背壁２５の内側下端に前方向きのリブ３４をそれぞれ設ける。かくしてディスクカートリッジ１を完全に収納すると、図１の二点鎖線で示すごとくその前面１Ｆの左右端がリブ３４に受け止められ、これで該前面１Ｆが背壁１６の内面位置より出入口１２の方へ偏倚するものとした。しかるときは、ディスクカートリッジ１の前面１Ｆがケース本体１０の背壁１６の内面に接当する従来の収納状態に比べて、これの凹部６をリブ３４の前方延出量分だけ前方位置へ偏倚させることができる。これによりロック体２６は、スペース上の制約が緩和されて蓋体１１の側壁１９に組み付け易くなった。かかるリブ３４は部分背壁２５に均等厚で一体成形できるため、ケース本体１０の背壁１６のみを厚くすることなく成形できる。ケース本体１０の背壁１６の内面にリブを付ける従来例では、インデックスカード１３の前端縁が引っ掛かる問題を生じるが、蓋体１１の部分背壁２５にリブ３４を付設する本発明の形態では、リブ３４がインデックスカード１３のコーナに位置することになるため、インデックスカード１３が該リブ３４に引っ掛かるようなこともない。
【００１９】
蓋体１１は閉じ位置においてケース後方へのスライド遊動を阻止し、かつ上開き回動不能に保持する必要がある。そのために、図４および図５に示すごとくケース本体１０と蓋体１１との間には、蓋ロック機構３５を設ける。この蓋ロック機構３５は、蓋体１１の上壁１８の下面左右の前側寄りに突設した前後一対のロック片３６と、ケース本体１０の左右の側壁１５の内面上端寄りに突設した前後一対のロック爪３７とを有する。前端のロック爪３７は断面が逆台形状の突起からなり、後ろ側のロック爪３７は前後方向に長いリブ状に形成する。前端のロック爪３７を利用して、蓋体１１の後方スライドを制限するために、前方のロック片３６にはこれの水平壁部にロック爪３７と弾性係合する突部３８が形成されている。
【００２０】
閉じ位置において、前記突部３８は前方のロック爪３７の前面側に下方から接当係合しており、スライド軸２１はガイド溝２２の前端に位置し、蓋体１１の部分背壁２５がケース本体１０のスリット２３を閉じている。この閉じ状態から、図３（ｂ）に示すごとく蓋体１１をケース後方へ押し込み操作すると、ロック片３６が弾性変形しながら、突部３８がロック爪３７の下面をくぐり抜け、ロック爪３７より後方に位置して、上開き可能位置に切り換わる。このとき、スライド軸２１はガイド溝２２の後端に位置する。
【００２１】
上開き可能位置においては、蓋体１１をスライド軸２１を中心にして自由に上開き操作でき、上壁１８が水平姿勢から９０度あるいは９０度を越える位置にまで回動できる。このように蓋体１１を上開き回動させた図３（ｃ）の状態では、上面開口１７の全体が開放して出入口１２が大きく拡開するので、ケース本体１０にディスクカートリッジ１やインデックスカード１３を容易に出し入れできる。蓋体１１は、上記の手順を逆にたどることによって閉じ位置に戻すことができる。
【００２２】
上記実施例に代えて、スライド軸２１を本体ケース１０の側壁１５に形成し、ガイド溝２２を蓋体１１の側壁１９に形成することもできる。ガイド溝２２は側壁１５にこれの厚み方向へ貫通する長孔形状に形成してもよい。
【００２３】
【発明の効果】
本発明の収納ケースは、前面側に設けた出入口１２からディスクカートリッジ１を出し入れする基本形態を維持しながら、蓋体１１を後方スライドしたのち上開き回動できるようにした。従って、ディスクカートリッジ１の出し入れ時には出入口１２を大きく拡開させることができてその出し入れが容易に行える。ディスクカートリッジ１と一緒にインデックスカード１３を出し入れする場合も両者の出し入れが容易に行える。
【００２４】
蓋体１１の左右の部分背壁２５の内側にリブ３４を設け、ディスクカートリッジ１を完全に収納したとき、これの前面１Ｆの左右端がリブ３４に接当して凹部６の位置が出入口１２の方へ偏倚するものとした。従って、その凹部６が出入口１２の方向へ偏倚する分だけ、ロック体２６を出入口１２の方へ偏倚させて組み付ければよいことになり、スペース的に余裕ができてロック体２６が組み付け易くなる。しかも、かかるリブ３４は部分背壁２５にヒケ発生や成形サイクルの増大を招くことなく一体成形することができ、またリブ３４がインデックスカード１３に引っ掛かるような不具合も解消できる。
【図面の簡単な説明】
【図１】収納ケースの内部構造を示す一部切り欠き横断平面図である。
【図２】蓋体を開放した状態での斜視図である。
【図３】（ａ）・（ｂ）・（ｃ）は蓋体を閉じ位置、上開き可能位置、開放位置の各動作位置で示す中央縦断側面図である。
【図４】図１におけるＡ−Ａ線断面図である。
【図５】図１におけるＢ−Ｂ線断面図である。
【図６】図１におけるＣ−Ｃ線断面図である。
【図７】従来の収納ケースの一部破断平面図である。
【符号の説明】
１  ディスクカートリッジ
６  凹部
１０  ケース本体
１１  蓋体
１２  出入口
１３  インデックスカード
１４  ケース本体の底壁
１５  ケース本体の側壁
１６  ケース本体の背壁
１８  蓋体の上壁
１９  蓋体の側壁
２１  スライド軸
２２  ガイド溝
２３  スリット
２５  蓋体の部分背壁
２６  ロック体
３４  リブ
【図１】
0003713861.tif 000002
【図２】
0003713861.tif 000003
【図３】
0003713861.tif 000004
【図４】
0003713861.tif 000005
【図５】
0003713861.tif 000006
【図６】
0003713861.tif 000007
【図７】
0003713861.tif 000008